(57)【特許請求の範囲】
【請求項１】
走行機体の進行方向後部にハンドルを突設し、該走行機体の一方側部に車輪を配設すると共に走行機体の他方側部に進行方向前方にして斜め下向きの回転軸に設けた削土ロータと車輪を兼ねる回転整畦体とを配設し、上記回転整畦体の外周部分に圧締面部を間隔を置いて複数個形成すると共に各圧締面部に隣り合う回転方向後方位置の圧締面部に至る長さの圧締板体の前部を配設し、該圧締面部間に通穴を形成すると共に該圧締板体を可撓性板材により形成してなる構成したことを特徴とする整畦機。
【請求項２】
上記回転整畦体は、畦の一方側面を回転整畦可能な側面整畦部及び畦の上面を回転整畦可能な上面整畦部とからなり、側面整畦部及び上面整畦部の外周部分に圧締面部を間隔を置いて複数個形成すると共に該側面整畦部及び上面整畦部の各圧締面部に隣り合う回転方向後方位置の圧締面部に至る長さの圧締板体の前部を配設して構成したことを特徴とする請求項１記載の整畦機。
【発明の詳細な説明】
【０００１】
【発明の属する技術分野】
本発明は例えば畦の造成作業や修復作業等に用いられる整畦機に関するものである。
【０００２】
【従来の技術】
従来この種の整畦機としては、特開平８−１９１６０３号公報、特開平２０００−３７１０５に示す構造のものが知られ、これらの従来構造にあっては、トラクタに連結機構により機枠を上下動可能に連結し、機枠に盛土機構を配設し、機枠に畦の上面及び畦の一方側面を回転整畦可能な回転整畦体を配設して構成したものである。
【０００３】
【発明が解決しようとする課題】
しかしながら上記従来構造の場合、地方により相異する畦の土質や天候等の作業条件によっては、必ずしも満足した整畦作業を行い得ないことがあると共に機械が大型重量化し、機械の運搬が困難となって、山間部の圃場の整畦作業に支障を来すことがあるという不都合を有している。
【０００４】
【課題を解決するための手段】
本発明はこのような不都合を解決することを目的とするもので、本発明のうちで、請求項１記載の発明は、走行機体の進行方向後部にハンドルを突設し、該走行機体の一方側部に車輪を配設すると共に走行機体の他方側部に進行方向前方にして斜め下向きの回転軸に設けた削土ロータと車輪を兼ねる回転整畦体とを配設し、上記回転整畦体の外周部分に圧締面部を間隔を置いて複数個形成すると共に各圧締面部に隣り合う回転方向後方位置の圧締面部に至る長さの圧締板体の前部を配設し、該圧締面部間に通穴を形成すると共に該圧締板体を可撓性板材により形成して構成したことを特徴とする整畦機にある。
【０００５】
又、請求項２記載の発明は、上記回転整畦体は、畦の一方側面を回転整畦可能な側面整畦部及び畦の上面を回転整畦可能な上面整畦部とからなり、側面整畦部及び上面整畦部の外周部分に圧締面部を間隔を置いて複数個形成すると共に該側面整畦部及び上面整畦部の各圧締面部に隣り合う回転方向後方位置の圧締面部に至る長さの圧締板体の前部を配設して構成したことを特徴とするものである。
【０００６】
【発明の実施の形態】
図１乃至図７は本発明の実施の形態例を示し、図１乃至図６は実施の第一形態例、図７は第二形態例である。
【０００７】
図１乃至図６の実施の第一形態例において、１は走行機体であって、この場合、走行機体１にエンジン２を配設し、走行機体１の進行方向後部にハンドル３を突設し、走行機体１の一方側部に車輪４を配設すると共に走行機体１の他方側部に削土ロータ５及び車輪を兼ねる回転整畦体６を配設している。
【０００８】
この場合、上記走行機体１の一方側部に車輪４を取付可能な車軸７を突設すると共に分配軸８を横設し、車軸７とエンジン２の出力軸２ａとの間にプーリー機構９を介装し、プーリー機構９にテンションプーリ１０ａを備えたクラッチ機構１０を配設し、分配軸８と車軸７との間にギヤ機構１１を介装し、エンジン２により車輪４を回転駆動し、いわゆる歩行型構造として構成している。
【０００９】
又、上記削土ロータ５は、ロータ胴５ａの外周に複数個の掻上刃５ｂを突設すると共にロータ胴５ａに取付軸５ｃを突設してなり、走行機体１に軸受体１２を突設し、軸受体１２内に回転軸１３を軸受し、軸受体１２及び回転軸１３を伸縮調節固定可能に設け、軸受体１２にカバー部材１４を取付け、この回転軸１３に削土ロータ５の取付軸５ｃを連結固定し、さらに、軸受体１２及び回転軸１３を進行方向前方にして斜め下向きに配置し、回転軸１３と分配軸８との間にギヤ機構１５を介装し、エンジン２により削土ロータ５を回転させ、畦際の圃場面Ｍ及び畦Ｗを削出し、旧畦上に削土して跳ね上げるように構成している。
【００１０】
又、上記回転整畦体６は、この場合、畦Ｗの一方側面Ｗ2を整畦可能な側面整畦部６ａ及び畦Ｗの上面Ｗ1を整畦可能な上面整畦部６ｂとを着脱自在に設け、回転軸線Ｐを畦Ｗの一方側面Ｗ2の側方から畦Ｗ側へ斜め上方に向かう所定角度θの上向き方向に配置され、かつ、この回転整畦体６は走行機体１の他方側部を支持可能な車輪を兼ねており、この車輪を兼ねる回転整畦体６を回転軸線Ｐを中心として図中矢印方向に強制回転するように構成している。
【００１１】
また、この場合、回転整畦体６としての側面整畦部６ａ及び上面整畦部６ｂの外周部分に圧締面部Ｋ・Ｄを間隔を置いて複数個、この場合八個形成すると共に側面整畦部６ａ及び上面整畦部６ｂの回転方向前方位置の圧締面部Ｋ・Ｄ側から隣り合う回転方向後方位置の圧締面部Ｋ・Ｄの外面としての圧締面Ｋ1・Ｄ1に至る長さの可撓性板材からなる圧締板体Ｇ・Ｅの前部を配設し、隣り合う圧締面部Ｋ・Ｄの間に通穴Ｆ・Ｃを形成し、側面整畦部６ａ及び上面整畦部６ｂの圧締板体Ｇ・Ｅを合成樹脂やステンレス等の金属からなる可撓性板材により形成して構成している。
【００１２】
この場合、上記走行機体１に取付枠１６を取付け、取付枠１６に軸受筒１７を取付け、この軸受筒１７に駆動軸１８を回転自在に横設し、上記走行機体１の他方側部に伝達軸１９を横設し、伝達軸１９と駆動軸１８とを自在継手２０により連結し、伝達軸１９と分配軸８との間にギヤ機構２１を介装し、かつ、回転整畦体６を回転させる駆動軸１８の回転と車輪４を回転させる車軸７の回転をギヤ機構１１・２１の伝達速比の調整により車輪４の回転を作業者の作業進行に合う走行機体１の進行速度に適合調節すると共に回転整畦体６の回転を畦面に対して強制的にスリップ回転させる回転速度に調整し、しかして、エンジン２の駆動により回転整畦体６を図中矢印方向に回転させ、回転整畦体６の側面整畦部６ａ及び上面整畦部６ｂの外周部分のスリップ回転接触により畦Ｗの一方側面Ｗ2を締圧整畦すると共に畦Ｗの上面Ｗ1を締圧整畦するように構成している。
【００１３】
この場合、上記回転整畦体６としての側面整畦部６ａは大径リング材２２ａと小径リング材２２ｂとの間に複数個の板状の桟材２２ｃを間隔を置いて放射状に溶接固着し、かつ、側面整畦部６ａの中心に六角軸状のロータ軸６ｃに挿通固定される連結軸２２ｅを配置し、連結軸２２ｅと大径リング材２２ａ及び小径リング材２２ｂとの間に複数個の連結杆２２ｆを溶接連結してなり、又、上面整畦部６ｂは、同径のリング材２３ａとリング材２３ｂとの間に複数個の板状の桟材２３ｃを間隔を置いて放射状に溶接固着し、かつ、側面整畦部６ａの中心に六角軸状のロータ軸６ｃに挿通固定される連結軸２３ｄを配置し、連結軸２３ｄとリング材２３ａ及びリング材２３ｂとの間に複数個の連結杆２３ｅを溶接連結してなり、この複数個の桟材２２ｃ・２３ｃを圧締面部Ｋ・Ｄに形成すると共に隣り合う圧締面部Ｋ・Ｄの間を通穴Ｆ・Ｃとして形成し、圧締面部Ｋ・Ｄの外面を圧締面Ｋ1・Ｄ1とし、圧締面部Ｋ・Ｄに取付片Ｋ2・Ｄ2を取付け、この取付片Ｋ2・Ｄ2にボルトナットからなる取付部Ｋ3・Ｄ3により圧締板体Ｇ・Ｅの前部を取付け、ロータ軸６ｃから連結軸２２ｄを挿脱することにより上面整畦部６ｂを側面整畦部６ａに対して着脱自在に設けて構成している。
【００１４】
２４は抵抗部材であって、この場合走行機体１に上下調節機構２５を介して上下調節自在に取り付けられ、後部に向けて開いた二股状部材２４ａ・２４ａにより形成され、抵抗部材２４の下部は圃場面Ｍ内に穿入可能に設けられている。
【００１５】
この実施の第一形態例は上記構成であるから、作業者はハンドル３を把持し、走行機体１のエンジン２の駆動により車輪４及び回転整畦体６を回転させ、ハンドル３を操作しつつ走行機体１を旧畦に沿って走行すると、進行方向前方にして斜め下向きの回転軸１３に設けた削土ロータ５は畦際を削土し旧畦上に連続的に跳ね上げると共に回転整畦体６は回転し、削土された土を回転整畦体６の強制的なスリップ回転により回転圧接して整畦することになり、しかして、走行機体１の進行方向後部にハンドル３を突設し、走行機体１の一方側部に車輪４を配設すると共に走行機体１の他方側部に削土ロータ５及び車輪を兼ねる回転整畦体６を配設して構成しているので、駆動系統の簡素化も相俟って、機械の小型軽量化を図ることができ、機械の運搬が容易となって、山間部の圃場の整畦作業に適するものとなり、使用の融通性を高めることができる。
【００１６】
又、この場合、上記回転整畦体６の外周部分に圧締面部Ｋ・Ｄを間隔を置いて複数個形成すると共に各圧締面部Ｋ・Ｄに回転方向前方位置の圧締面部Ｋ・Ｄ側から隣り合う後方位置の圧締面部Ｋ・Ｄの圧締面Ｋ1・Ｄ1に至る長さの圧締板体Ｇ・Ｅの前部を配設しているので、図６の如く、回転整畦体６の図中矢印方向としての走行機体１の前進を助長する方向の回転に伴い圧締板体Ｇ・Ｅは徐々に盛土を締圧すると共に圧締面部Ｋ・Ｄにより圧締板体Ｇ・Ｅを介して強く締圧され、この複数個の圧締面部Ｋ・Ｄの存在により断続的に締圧され、複数個の圧締面部Ｋ・Ｄの存在により、回転整畦体６の全外周面で締圧する構造に比べて締圧面積が小さくなることにより締圧力を大きくすることができ、それだけ強固に畦を締め付けることができ、走行機体１の走行速度に対して回転整畦体６の回転速度を高めることにより回転整畦体１３の圧締板体Ｇは畦面に回転滑り接触し、この回転すべり接触により畦Ｗの一方側面Ｗ2及び畦Ｗの上面Ｗ1を円滑かつ強固に締圧整畦することができる。
【００１７】
又、この場合、回転整畦体は畦Ｗの一方側面Ｗ2を回転整畦可能な側面整畦部６ａ及び畦Ｗの上面Ｗ1を回転整畦可能な上面整畦部６ｂとからなるので、畦Ｗの一方側面Ｗ2及び畦Ｗの上面Ｗ1を同時に回転整畦することができ、良好に締圧することができ、又、この場合、上記圧締面部Ｋ・Ｄの間に通穴Ｆ・Ｃを形成すると共に圧締板体Ｇ・Ｅを可撓性板材により形成しているので、通穴Ｆ・Ｃにより一層断続的に畦面を締圧することになり、それだけ強固に締圧することができると共に可撓性により圧締板体Ｇ・Ｅは撓み動作しつつ盛土を徐々に締圧することができ、回転整畦体６の外周部分への土の付着現象を抑制することができ、畦の上面Ｗ1と一方側面Ｗ2との畦角部を良好に締圧することができ、良好な整畦作業を行うことができ、一層堅牢な畦を得ることができる。
【００１８】
又、この場合、走行機体１に圃場面Ｍ内に穿入可能な抵抗部材２４を配設しているので、上記回転整畦体６の強制的なスリップ回転と上記車輪４の実質的にスリップ回転のない進行回転とにより生ずる走行機体１の過大な牽引走行に対して抵抗し、過大な牽引走行を抑制することができ、それだけ作業者の進行操作性を容易にすると共に作業機体の進行の安定性を図ることができ、かつ、抵抗部材２４は上下調節機構２５により上下調節自在に設けられているので、抵抗部材２４の圃場面Ｍに対しての穿入深さを調節することができ、さらに抵抗部材２４は、後部に向けて開いた二股状部材２４ａ・２４ａにより形成され、良好な抵抗作用を得ることができ、過大な牽引走行を良好に抑制することができる。
【００１９】
図７の第二形態例は別例構造を示し、この場合、上記回転整畦体６の回転軸線を水平方向に配置して構成している。
【００２０】
尚、本発明は上記実施の形態例に限られるものではなく、例えば削土ロータ５の構造並びに回転整畦体６の圧締面部Ｋ・Ｄ及び通穴Ｆ・Ｃの個数や形状、圧締板体Ｇ・Ｅの大きさや材質等は適宜変更して設計され、又、削土ロータ５を複数個のロータにより構成することもある。
【００２１】
【発明の効果】
本発明は上述の如く、請求項１記載の発明にあっては、走行機体の進行方向後部にハンドルを突設し、該走行機体の一方側部に車輪を配設すると共に走行機体の他方側部に進行方向前方にして斜め下向きの回転軸に設けた削土ロータと車輪を兼ねる回転整畦体とを配設しているので、作業者はハンドルを把持し、ハンドルを操作しつつ走行機体を旧畦に沿って走行すると、進行方向前方にして斜め下向きの回転軸に設けた削土ロータは畦際を削土し旧畦上に連続的に跳ね上げると共に回転整畦体は回転し、削土された土を回転整畦体により回転圧接して整畦することができ、機械の小型軽量化を図ることができ、機械の運搬が容易となって、山間部の圃場の整畦作業に適するものとなり、使用の融通性を高めることができ、かつ、上記回転整畦体の外周部分に圧締面部を間隔を置いて複数個形成すると共に各圧締面部に回転方向前方位置の圧締面部側から隣り合う後方位置の圧締面部の圧締面に至る長さの圧締板体の前部を配設しているので、回転整畦体の走行機体の前進を助長する方向の回転に伴い圧締板体は徐々に盛土を締圧すると共に圧締面部により圧締板体を介して強く締圧され、この複数個の圧締面部の存在により断続的に締圧され、複数個の圧締面部の存在により、回転整畦体の全外周面で締圧する構造に比べて締圧面積が小さくなることにより締圧力を大きくすることができ、それだけ強固に畦を締め付けることができ、回転整畦体の回転速度を高めることにより回転整畦体の圧締板体は畦面にスリップ回転接触し、このスリップ回転接触により畦面を円滑かつ強固に締圧整畦することができ、更に、上記圧締面部の間に通穴を形成すると共に圧締板体を可撓性板材により形成しているので、通穴により一層断続的に畦面を締圧することになり、それだけ強固に締圧することができると共に可撓性により圧締板体は撓み動作しつつ盛土を徐々に締圧することができ、回転整畦体の外周部分への土の付着現象を抑制することができ、畦の上面と一方側面との畦角部を良好に締圧することができ、良好な整畦作業を行うことができ、一層堅牢な畦を得ることができる。
【００２２】
又、請求項２記載の発明にあっては、回転整畦体は畦の一方側面を回転整畦可能な側面整畦部及び畦の上面を回転整畦可能な上面整畦部とからなるので、畦の一方側面及び畦の上面を同時に回転整畦することができ、良好に締圧することができる。
【図面の簡単な説明】
【図１】  本発明の実施の第一形態例の全体側面図である。
【図２】  本発明の実施の第一形態例の全体平面図である。
【図３】  本発明の実施の第一形態例の側面図である。
【図４】  本発明の実施の第一形態例の部分後面図である。
【図５】  本発明の実施の第一形態例の部分断面図である。
【図６】  本発明の実施の第一形態例の拡大側断面図である。
【図７】  本発明の実施の第二形態例の部分後面図である。
【符号の説明】
Ｗ  畦
Ｗ1  上面
Ｗ2  側面
Ｋ  圧締面部
Ｄ  圧締面部
Ｇ  圧締板体
Ｅ  圧締板体
Ｆ  通穴
Ｃ  通穴
１  走行機体
３  ハンドル
４  車輪
５  削土ロータ
６  回転整畦体
６ａ  側面整畦部
６ｂ  上面整畦部
１３ 回転軸
【図１】
0004406758.tif 000002
【図２】
0004406758.tif 000003
【図３】
0004406758.tif 000004
【図４】
0004406758.tif 000005
【図５】
0004406758.tif 000006
【図６】
0004406758.tif 000007
【図７】
0004406758.tif 000008